(57)【要約】本発明は、内部粉砕空間を画定するハウジング（１４）を有する、固体又は液体中の固体を粉砕するための二軸シュレッダ（１）に関する。二軸シュレッダはさらに、粉砕空間に固体を供給するためのハウジング（１４）の入口開口部（１６）と、粉砕空間から粉砕された固体を排出するためのハウジング（１４）の出口開口部（１８）と、それぞれ２つの隣接する第１切断ディスク（１０１、１０２）間に中間空間が存在するように第１ハブボディに配置された複数の第１切断ディスク（１０１、１０２）を有する第１切断ディスクブロック（１０）と、それぞれ２つの隣接する第２切断ディスク（１０３、１０４）間に中間空間が存在するように第２ハブボディに配置された複数の第２切断ディスク（１０３、１０４）を有する第２切断ディスクブロック（１２）とを備える。第１及び第２切断ディスクブロック（１０、１２）は、互いに軸方向にオフセットされ、それによって、第１切断ディスク（１０１、１０２）の少なくとも一部はそれぞれ、２つの隣接する第２切断ディスク（１０３、１０４）間の中間空間に係合し、第２切断ディスク（１０３、１０４）の一部はそれぞれ、２つの隣接する第１切断ディスク（１０１、１０２）間の中間空間に係合し、第１及び第２切断ディスクブロック（１０、１２）はそれぞれ、第１軸方向凹部（３４、３６）を有する。本発明は、トルクを伝達するための第１切断ディスクブロック（１０）の第１軸方向凹部（３４）内に延在する第１シャフトスタブ（３０）と、トルクを伝達するための第２切断ディスクブロック（１２）の第１軸方向凹部（３６）内に延在する第２シャフトスタブ（３２）と、第１シャフトスタブ（３０）を第１切断ディスクブロック（１０）に対してクランプするための第１クランプ装置と、第２シャフトスタブ（３２）を第２切断ディスクブロック（１２）に対してクランプするための第２クランプ装置とによって特徴付けられる。
2019535506.tif 000002
【特許請求の範囲】
【請求項１】
固体又は液体中の固体を粉砕するための二軸シュレッダ（１）であって、
内部粉砕空間を画定するハウジング（１４）と、
前記粉砕空間に固体を供給するためのハウジング（１４）の入口開口部（１６）と、
前記粉砕空間から粉砕された固体を排出するためのハウジング（１４）の出口開口部（１８）と、
それぞれ２つの隣接する第１切断ディスク（１０１、１０２）間に中間空間が存在するように第１ハブボディに配置された複数の第１切断ディスク（１０１、１０２）を有する第１切断ディスクブロック（１０）と、
それぞれ２つの隣接する第２切断ディスク（１０３、１０４）間に中間空間が存在するように第２ハブボディに配置された複数の第２切断ディスク（１０３、１０４）を有する第２切断ディスクブロック（１２）と、を備え、
前記第１及び第２切断ディスクブロック（１０、１２）は、互いに軸方向にオフセットされ、それによって、前記第１切断ディスク（１０１、１０２）の少なくとも一部はそれぞれ、２つの隣接する第２切断ディスク（１０３、１０４）間の中間空間に係合し、前記第２切断ディスク（１０３、１０４）の一部はそれぞれ、２つの隣接する第１切断ディスク（１０１、１０２）間の中間空間に係合し、
前記第１及び第２切断ディスクブロック（１０、１２）はそれぞれ、第１軸方向凹部（３４、３６）を有する、二軸シュレッダ（１）において、
第１シャフトスタブ（３０）は、トルクを伝達するための前記第１切断ディスクブロック（１０）の前記第１軸方向凹部（３４）内に延在し、
第２シャフトスタブ（３２）は、トルクを伝達するための前記第２切断ディスクブロック（１２）の前記第１軸方向凹部（３６）内に延在し、
前記第１シャフトスタブ（３０）を前記第１切断ディスクブロック（１０）に対してテンションを受けてクランプするための第１クランプ装置が存在し、
前記第２シャフトスタブ（３２）を前記第２切断ディスクブロック（１２）に対してテンションを受けてクランプするための第２クランプ装置が存在する、
二軸シュレッダ（１）。
【請求項２】
好ましくは確実動作のシャフト−ハブ接続によって、前記第１切断ディスクブロック（１０）は、前記第１シャフトスタブ（３０）にねじり固定されて取り付けられ、前記第２切断ディスクブロック（１２）は、前記第２シャフトスタブ（３２）にねじり固定されて取り付けられる、
請求項１に記載の二軸シュレッダ。
【請求項３】
前記第１及び第２シャフトスタブ（３０、３２）はそれぞれ、前記第１及び第２切断ディスクブロック（１０、１２）の前記第１軸方向凹部（３４、３６）の対応する円錐台形セグメントと接触する円錐台形セグメント（４２）を有する、
請求項１又は請求項２に記載の二軸シュレッダ。
【請求項４】
前記切断ディスクブロック（１０、１２）の円錐台形セグメントは、前記第１軸方向凹部（３４、３６）内に配置されたスリーブ（４４）によって形成される、
請求項３に記載の二軸シュレッダ。
【請求項５】
前記スリーブ（４４）は、スプリングパケット（４８）によってプリテンションを付与されている、
請求項４に記載の二軸シュレッダ。
【請求項６】
第１及び第２アスクルインサート（２６、２８）を有し、前記第１及び第２切断ディスクブロック（１０、１２）はそれぞれ、第２軸方向凹部（３８、４０）を有し、前記第１アクスルインサート（２６）は、前記第１切断ディスクブロック（１０）の前記第２軸方向凹部（３８）に受容され、前記第２アクスルインサート（２８）は、前記第２切断ディスクブロック（１２）の前記第２軸方向凹部（４０）に受容される、
請求項１から請求項５の何れか１項に記載の二軸シュレッダ。
【請求項７】
前記第１及び第２軸方向凹部（３４、３６、３８、４０）はそれぞれ、軸方向穴（６４）によって互いに接続され、前記クランプ装置は、前記第１シャフトスタブ（３０）に対する前記第１アクスルインサート（２６）と前記第２シャフトスタブ（３２）に対する前記第２アクスルインサート（２８）とをクランプする手段を有する、
請求項６に記載の二軸シュレッダ。
【請求項８】
前記クランプする手段は、第１及び第２ねじ付きロッド（６６）を備える、
請求項７に記載の二軸シュレッダ。
【請求項９】
前記第１ねじ付きロッド（６６）は、前記第１シャフトスタブ（３０）のねじ穴（７０）に受容されて前記第１アクスルインサート（２６）の貫通穴（７０）内に又は貫通穴（７０）を貫通して延在し、前記第２ねじ付きロッドは、前記第２シャフトスタブ（３２）のねじ穴に受容されて前記第２アクスルインサート（２８）の貫通穴内に又は貫通穴を貫通して延在する、
請求項８に記載の二軸シュレッダ。
【請求項１０】
前記第１及び第２アクスルインサート（２６、２８）は、前記第１及び第２切断ディスクブロック（１０、１２）を支持するためのアクスルスタブ（２６、２８）として実施される、
請求項６から請求項９の何れか１項に記載の二軸シュレッダ。
【請求項１１】
前記第１及び第２アクスルインサート（２６、２８）はそれぞれ、前記第１及び第２切断ディスクブロック（１０、１２）の前記第２軸方向凹部（３８、４０）の対応する円錐台形セグメントと接触する円錐台形セグメント（５４）を有する、
請求項６から請求項１０の何れか１項に記載の二軸シュレッダ。
【請求項１２】
前記切断ディスクブロック（１０、１２）の前記第１及び第２軸方向凹部（３４、３６、３８、４０）は、互いに対称に実施される、
請求項６から請求項１１の何れか１項に記載の二軸シュレッダ。
【請求項１３】
前記第１及び第２アクスルスタブ（２６、２８）は、前記アクスルスタブ（２６、２８）と共にユニットを形成する軸受ハウジング（２４）内に受容され、前記ユニットは、前記切断ディスクブロック（１０、１２）及び／又は前記ハウジング（１４）から可逆的に取り外し可能である、
請求項１０に記載の二軸シュレッダ。
【請求項１４】
軸受（７６、２０６）、及び好ましくは前記軸受と関連する前記第１及び／又は第２切断ディスクブロック（１０、１２）のリングシール（７７、２０７）に、オイルチャネルを通じて、特に前記第１切断ディスクブロックを貫通して延在するオイルチャネルを通じてオイルを供給するオイル供給装置（２００）を有する、
請求項１から請求項１３の何れか１項に記載の二軸シュレッダ。
【請求項１５】
前記オイルチャネル（２００）は、前記第１切断ディスクブロック（１０）の前記第１軸方向穴（６４）を貫通する第１オイルチャネルセグメント（２１９）を有する、
請求項７及び請求項１４の何れか１項に記載の二軸シュレッダ。
【請求項１６】
前記オイル供給装置（２００）は、前記第１オイルチャネルセグメント（２１９）に流体接続され、前記第２切断ディスクブロック（１２）の軸受にオイルを供給する第２オイルチャネルセグメント（２３２）を有する、
請求項１５に記載の二軸シュレッダ。
【請求項１７】
前記第１オイルチャネルセグメント（２１９）は、前記第１シャフトスタブ（３０）及び／又は前記第１アクスルインサート（２６）を貫通する、
請求項１５又は請求項１６に記載の二軸シュレッダ。
【請求項１８】
前記軸受をシールするシールの漏れを検出するために実施されるオイル監視装置を備え、前記オイル監視装置は、前記オイルチャネルのオイルレベル又はオイル圧力を監視することによって検出を行うように実施される、
請求項１５、請求項１６又は請求項１７に記載の二軸シュレッダ。
【発明の詳細な説明】
【技術分野】
【０００１】
本発明は、固体又は液体中の固体を粉砕するための二軸シュレッダであって、内部粉砕空間を画定するハウジングと、前記粉砕空間に固体を供給するためのハウジングの入口開口部と、前記粉砕空間から粉砕された固体を排出するためのハウジングの出口開口部と、それぞれ２つの隣接する第１切断ディスク間に中間空間が存在するように第１ハブボディに配置された複数の第１切断ディスクを有する第１切断ディスクブロックと、それぞれ２つの隣接する第２切断ディスク間に中間空間が存在するように第２ハブボディに配置された複数の第２切断ディスクを有する第２切断ディスクブロックとを備え、第１及び第２切断ディスクブロックは、互いに軸方向にオフセットされ、それによって、第１切断ディスクの少なくとも一部はそれぞれ、２つの隣接する第２切断ディスク間の中間空間に係合し、第２切断ディスクの一部はそれぞれ、２つの隣接する第１切断ディスク間の中間空間に係合し、第１及び第２切断ディスクブロックはそれぞれ、第１軸方向凹部を有する、二軸シュレッダに関する。
【背景技術】
【０００２】
現行型の二軸シュレッダは、固体、例えば枝、小枝、植物などの有機材料、又はプラスチック廃棄物などの他の材料を粉砕するために使用される。粉砕される固体はそれによって、乾燥状態又は液体流で入口開口部を通じて二軸シュレッダに供給され得る。
【発明の概要】
【発明が解決しようとする課題】
【０００３】
効果的に粉砕するために、二軸シュレッダは、２つのシャフトを有し、２つのシャフトのそれぞれに複数の切断ディスクが配置される。前記切断ディスクは相互に互いに係合し、それは、一方のシャフトの２つの隣接する切断ディスク間に他方のシャフトの切断ディスクの厚さより大きい軸方向オフセットが存在すると共に、２つのシャフトの軸間空間が切断ディスクの直径より小さいということを可能にし、実現される。
【０００４】
二軸シュレッダの２つのシャフトは一般に反対方向に駆動され、このため、例えば対応するギアボックスによって互いに連結される。特に２つのシャフトが異なる回転速度で回転するときに良好な粉砕結果が得られる。このようにして、反対方向に作動する切断ディスクによって２つのシャフト間の中間空間に高い剪断力及び破断力が生じ、固体の有効な粉砕を引き起こす。異なる回転速度はまた、隣接する切断ディスクの異なるブレードセグメントがそれぞれの回転を用いて互いに係合することを引き起こし、それによって切断ディスクは、付着された粉砕した材料が自動的に除去される。
【０００５】
現行型の二軸シュレッダの欠点は、２つのシャフトと２つのシャフト上に配置された切断ディスクの動作タイプのために、硬い固体物が粉砕空間に入って２つの切断ディスクの間、又は１つの切断ディスクと対向するシャフトとの間に挟まれる場合に互いに面する切断ディスクが損傷を受ける可能性があることである。これは、切刃領域において切断ディスクに激しい損傷を引き起こす可能性があり、それによって二軸シュレッダの進行中の動作はもはや不可能である、又は低い粉砕効率においてのみ起こる。粉砕される材料のタイプ及び量に応じて、摩耗がまた切断ディスクに生じ得る。
【０００６】
このために、二軸シュレッダにクイックチェンジシステムを備え付けることが知られている。前記システムでは、そのような損傷を受けたブレードを交換するためにブレードをシャフトから取り外すことができる。それによって、二軸シュレッダの機能性をほとんどメンテナンス努力なしに回復できることが達成される。
【０００７】
既知の二軸シュレッダの更なる欠点は、互いに噛み合う２つの切断ディスクの間に入る、又は１つの切断ディスクと対向するシャフトとの間に入る固体物が、２つの切断ディスク又は１つの切断ディスクに実質的なトルクスパイクを引き起こし得ることである。前記トルクスパイクは、シャフトに切断ディスクがねじり固定されて（torsionally fixed）支持されることを緩やかにし得ることを引き起こし得る。このようなシャフトに対する切断ディスクのねじり固定取付に対するダメージは、二軸シュレッダの更なる動作を不可能にする、又は制限された効率においてのみ可能にし、特に二軸シュレッダの他の構成要素への更なる損傷の危険性を含み得る。
【０００８】
第１切断ディスクが第１切断ディスクブロックとして実施され、第１切断ディスクが、第１シャフトのセグメントの周りに配置するための軸方向穴を有する第１ハブボディと一体的に形成されると共に、好ましくは確実動作の（positive）シャフト−ハブ接続によって第１シャフトにねじり固定されて取り付けられ、第２切断ディスクが第２切断ディスクブロックとして実施され、第２切断ディスクが、第２駆動シャフトのセグメントの周りに配置するための軸方向穴を有する第２ハブボディと一体的に配置されると共に、好ましくは確実動作のシャフト−ハブ接続によって第２シャフトにねじり固定されて取り付けられるような前述したような二軸シュレッダを実施することが独国実用新案第２０２０１００１０６６２号からさらに知られている。
【０００９】
前記実施形態はうまく機能し、特に長い耐用年数を有することが分かった。しかしながら、製造を簡単にし、切断ディスクブロックの組立及び交換を簡単にし、耐用年数を高めるために、前記実施形態を改良することが依然として必要である。
【００１０】
大きなサイズでは、一体リッパ（monolithic ripper）ロータとしても知られる前記一体型切断ディスクブロックは、長く軸方向に正確な受容穴の製造が困難であるので、複数の部品を有して実施され、両方の切断ディスクブロックが同時に長く平行なシャフト上をスライドしなければならないので、このような長い切断ディスクブロックのための組立は非常に困難である。長く単一部品の切断ディスクブロック上をスライドさせるのに必要な空間もまた非常に大きい。
【００１１】
処理量に対するコストの割合が一般に有利である二軸シュレッダのより長い長さのため、特に複数の個々の切断ディスクを有する二軸シュレッダについて、個々のディスクが大きい曲げ剛性を備えていないので、シャフトのたわみもまた問題である。多数の部分に分かれた単一ロータは耐荷重領域において剛性を増大させるが、曲げ引張は交差領域において伝達することができない。ここではまたトルク伝達が確実動作の接続によってではなく圧入によってのみ可能である。
【００１２】
個々の切断ディスク又は切断ディスクブロックをシャフト上でスライドさせる従来型の二軸シュレッダは、剛性不足のため、前記シュレッダが粉砕チャンバ内に更なる支持軸受を有する場合にのみ、より大きく、従って経済的な長さで製造することができる。しかしながら、前記更なる支持軸受は、前記軸受が一定の長さの粉砕空間を占有するので、潜在的処理量を低下させるという欠点を有する。前記軸受はまた、粉砕される材料が前記軸受に支持されて粉砕することができず、次に通過断面を更に低減させる又は完全にさえ遮断するので、問題を引き起こす。前記支持軸受は更に、両側において製品にさらされるので、信頼性のあるシールを実施することが非常に難しく、その結果、前記軸受は、故障することが多く、そのとき多大な労力をかけて交換しなければならない。損傷又は摩耗したブレードを交換することもまたより困難になる。加えて、支持軸受はさらに二軸シュレッダの製造において実質的に更なる費用を引き起こす。
【課題を解決するための手段】
【００１３】
前記目的は、トルクを伝達するための第１切断ディスクブロックの第１軸方向凹部内に延在する第１シャフトスタブ（shaft stub）と、トルクを伝達するための第２切断ディスクブロックの第１軸方向凹部内に延在する第２シャフトスタブと、第１シャフトスタブを第１切断ディスクに対してクランプするための第１クランプ装置と、第２シャフトスタブを第２切断ディスクに対してクランプするための第２クランプ装置とによる前記に示されるタイプの二軸シュレッダによって本発明に従って達成される。
【００１４】
本発明は、個々の切断ディスクが配置される中央ハブボディを有する切断ディスクブロックについて、駆動シャフトが対応する切断ディスクブロックのハブボディを完全に貫通する必要がないという洞察に基づいている。むしろ、切断ディスクブロック、特に切断ディスクブロックのハブボディの対応する凹部内に延在し、対応するトルクを対応する切断ディスクブロックに伝達するシャフトスタブを提供すれば十分である。それにより、切断ディスクブロックの軸方向長さは、シャフトスタブに対して変更することができ、シャフトスタブの正確な設計とは無関係である。
【００１５】
本発明によれば、第１及び第２クランプ装置が提供され、それによって対応する切断ディスクブロックがシャフトスタブに対してクランプすることができる。シャフトスタブは、各切断ディスクブロックの対応するハブボディを完全に貫通して延在することなく、むしろ５％から３０％までの範囲、好ましくは５％から１５％までの範囲、特に好ましくは約１０％の軸方向長さを有する。シャフトスタブと切断ディスクブロックとの間の固定、特に軸方向の固定は、クランプ装置によって実施される。前記装置は、クランプを提供するための凹部の内部において、例えばダブルコーンなどのような半径方向に拡張するクランプ本体であり得る。トルク伝達は好ましくは、キー又は別の一般的なシャフト−ハブ接続によって実施される。
【００１６】
個々の切断ディスクは好ましくは、ハブボディに一体的に形成され、切断ディスクブロックは特に、機械加工、特に旋削加工及びフライス加工によって固体材料から完全に切断される。
【００１７】
このようにして、組立は、全体的に簡単にされる。切断ディスクブロックをシャフトスタブに接続してクランプ装置を作動させることが必要であるだけであり、それによって、切断ディスクブロックは、シャフトスタブに取り付けられる。分解するために、クランプ装置は対応して解放され、切断ディスクブロックは取り除かれる。
【００１８】
第１の好ましい実施形態によれば、第１及び第２シャフトスタブはそれぞれ、第１及び第２切断ディスクブロックの第１軸方向凹部の対応する円錐台形セグメントと接触する円錐台形セグメントを有する。第１及び第２シャフトスタブ上の円錐台形セグメントは好ましくは、軸方向端面、すなわち駆動装置から見て外方に向く端部に設けられる。したがって、円錐台形セグメントは、切断ディスクブロックの凹部に受容されたシャフトスタブの端部に設けられる。円錐台形セグメントは、シャフトスタブが軸方向端部に向かって先細りになるように実施される。同時に、第１軸方向凹部は、前記凹部もまた切断ディスクブロックの中心に向かう方向にわずかに先細りになるように、対応する円錐台形セグメントを有する。このような対応する円錐台形セグメントを実施することによって、製造公差を補償することができる。それによって製造及び組立の両方が実質的に簡単にされる。対応する円錐台形セグメントは、対応するシャフトスタブに対する切断ディスクブロックのセルフセンタリングを同時に生じさせる。
【００１９】
切断ディスクブロックの円錐台形セグメントは好ましくは、第１軸方向凹部内に配置されたスリーブによって形成される。それによって、製造はさらに実質的に簡単にされる。さらに、スリーブを切断ディスクブロック自体とは異なる材料から製造することも可能である。
【００２０】
スリーブは好ましくは、スプリングパケットによってプリテンション（pretension）を付与される。例えば、このため、スプリングパケットが支持される凹部の底部に突起が設けられる。スプリングパケットは好ましくは、複数のスプリングワッシャを有する。好ましい変形形態では、伝達要素がスリーブとスプリングパケットとの間に設けられ、例えばスプリングパケットをセンタリングするのに役立つ。それによって間隙がさらに補償され、２つの円錐台形の表面が間隙なしに互いに接触することができる。対応する切断ディスクブロックはこのようにして、隙間なしに対応するシャフトスタブに対してクランプされる。
【００２１】
好ましい改良形態では、第１及び第２アクスルインサートを有し、第１及び第２切断ディスクブロックがそれぞれ第２軸方向凹部を有し、第１アクスルインサートが第１切断ディスクブロックの第２軸方向凹部に受容され、第２アクスルインサートが第２切断ディスクブロックの第２軸方向凹部に受容される二軸シュレッダが提供される。第２軸方向凹部は好ましくは、切断ディスクブロック、特にハブボディの第１軸方向凹部に対して反対側の端面に設けられる。
【００２２】
それによって、第１及び第２軸方向凹部がそれぞれ、軸方向穴によって互いに接続され、クランプ装置が、第１シャフトスタブに対して第１アクスルインサートをクランプする、及び第２シャフトスタブに対して第２アクスルインサートをクランプする手段を有することが好ましい。それによって組立はさらに実質的に簡単にされる。対応する切断ディスクブロックが対応するシャフトスタブ上に配置される場合、クランプ装置によって切断ディスクブロックの自由端から同じものをクランプすることが可能である。このため、例えば、テンション（tension）ロッド、テンションケーブル又は他のテンション手段が提供され、第１又は第２シャフトスタブに対して第１又は第２アクスルインサートを引っ張る。テンションロッド、テンションケーブルなどにテンションを付与するために、ねじ接続などの既知のテンション手段を設けることができる。
【００２３】
クランプする手段は好ましくは、第１及び第２ねじ付きロッドを有する。第１ねじ付きロッドは好ましくは、第１シャフトスタブのねじ穴に受容されて第１アクスルインサートの貫通穴内に又は貫通穴を貫通して延在し、第２ねじ付きロッドは、第２シャフトスタブの第２ねじ穴に同時に受容されて第２アクスルインサートの貫通穴を貫通して延在する。アクスルインサートの貫通穴は、ねじ穴として実施することができる。代替的に、貫通穴は、ねじなしに設けることができ、ナットが、切断ディスクブロックに対してアクスルインサートの外側に設けられ、それによって第１及び第２アクスルインサートが、第１及び第２シャフトスタブの方向にプリテンションを付与することができる。それによって、シャフトスタブへの切断ディスクブロックの特に簡単なクランプが達成される。
【００２４】
さらなる好ましい実施形態では、第１及び第２アクスルインサートは、第１及び第２切断ディスクブロックを支持するためのアクスルスタブ（axle stub）として実施される。それによって、簡単な方法でシャフトスタブとは反対側において切断ディスクブロックを支持することも可能である。硬い材料を切断するときに高い支持力が生じ得るので、そのような二重支持は好ましい。
【００２５】
それによって、第１及び第２アクスルインサートがそれぞれ、第１及び第２切断ディスクブロックの第２凹部の対応する円錐台形セグメントと接触する円錐台形セグメントを有することがさらに好ましい。第１及び第２軸方向凹部は特に好ましくは、切断ディスクブロックに互いに対称的に実施される。ここで、対称的とは、第１及び第２凹部が中心軸に対して互いに対して回転されるという鏡面対称を含み、鏡面対称と点対称の両方が好ましいことを意味する。しかしながら、対称性以上に、前記凹部が、内部幾何学的形状において実質的に同一であることが重要である。それによって、切断ディスクブロックを回転させ、例えば第１切断ディスクブロックの第２軸方向凹部を第１シャフトスタブに配置することが可能である。それによって組立はさらに実質的に簡単にされる。２つの異なる凹部を設ける必要がなく、むしろ前記凹部を同一に形成することが可能であるので、製造もまた簡単にされる。同一部品をさらに使用することができ、製造が簡単にされる。
【００２６】
スリーブ及び対応するスプリングパケットがさらに好ましくは、第２軸方向凹部に設けられ、それによって、好ましくはアクスルスタブとして実施されるアクスルインサートを対応する切断ディスクブロックに対して隙間なしにクランプすることができる。
【００２７】
さらなる好ましい実施形態では、第１及び第２アクスルスタブは、アクスルスタブと共にユニットを形成する軸受ハウジング内に受容され、切断ディスクブロック及び／又は切断ディスクブロックが配置されるハウジングからユニットとして可逆的に取り外し可能である。クランプ装置は好ましくは、軸受ハウジングの外側から又は軸受ハウジングにアクセス可能である。このようにして、軸受ハウジングは、構造ユニット、モジュール、又は組立ユニットとして２つの切断ディスクブロックに配置され、アクスルスタブが第２軸方向凹部に係合するようにすることができる。クランプ装置は次に、軸受ハウジングの外側から作動され、それによってアクスルスタブはシャフトスタブに対してクランプされ、それによって切断ディスクブロックは固定される。シャフトスタブ及びアクスルスタブの円錐性のために、それによってセルフセンタリングが起こり、隙間なしに切断ディスクブロックをクランプすることが同時に起こる。それによって組立は非常に簡単である。
【００２８】
さらなる好ましい実施形態では、二軸シュレッダは、第１及び／又は第２切断ディスクブロックの軸受にオイルチャネルを通じて、特に第１切断ディスクブロックを貫通して延在するオイルチャネルを通じてオイルを供給するオイル供給装置を有する。軸受は、転がり軸受と滑り軸受の両方を備え得る。オイル供給装置は好ましくは、オイル供給の耐漏れ性をチェックし、このようにしてシール内の漏れを検出するように設定される。オイル供給装置は好ましくは、二軸シュレッダの設置状態において外側からアクセス可能である。
【００２９】
オイル供給装置は、オイルチャネルが第１切断ディスクブロックの第１軸方向穴を貫通する第１オイルチャネルセグメントを有することにおいて改良することができる。オイル供給装置は好ましくは、第１オイルチャネルセグメントに流体接続されて第２切断ディスクブロックの軸受にオイルを供給する第２オイルチャネルセグメントを有する。前記オイル経路の設定は、保護されたオイルチャネル位置を外部効果に影響されにくくすることができる。前記オイルチャネル経路の設定は更に、外部オイルラインを第１に取り除く必要なしに、又は軸受への外部オイルラインの複雑な貫通ラインを実施する必要なしに、第１及び第２切断ディスクブロックを端部軸受と共に取り除くことを可能にする。これは、二軸シュレッダのメンテナンスを容易にし、特に二軸シュレッダがドレインなどのアクセス困難な配置に設置される場合に重要である。本発明に係るオイル経路の設定は、切断ディスクブロックを交換するために二軸シュレッダ全体を第１にドレインから取り除く必要があることを防止することができるが、むしろ切断ディスクブロックは、オイル漏れのリスクなしにドレインに設置された二軸シュレッダのハウジングから取り除くことができる。
【００３０】
第１オイルチャネルセグメントは特に好ましくは、第１シャフトスタブ及び／又は第１アクスルインサートを貫通する。それによって、第１オイルチャネルセグメントが第１シャフトスタブと第１アクスルインサートの両方を貫通するのが特に好ましい。第２オイルチャネルセグメントはまた、第２シャフトスタブ及び第２アクスルインサートを貫通することができる、及び／又は、第１切断ディスクブロックの軸受の潤滑空間と第２切断ディスクブロックの軸受との間の接続として実施することができる。このようにして、切断ディスクブロックの軸受への更なる開口又は接続は不要である。これによって、切断ディスクブロックの交換もまた簡単にされる。
【００３１】
二軸シュレッダが、軸受をシールするシールの漏れを検出するために実施されるオイル監視装置によって改良され、オイル監視装置が、オイルチャネルのオイルレベル又はオイル圧力を監視することによって検出を行うように実施されることがさらに好ましい。
【００３２】
このようなオイル監視装置は、軸受への損傷を防止するために軸受の不十分な潤滑をタイミング良く検出するのに役立つ。不十分な潤滑は一般に、軸受をシールするシールの漏れの結果として生じる。このような漏れは、例えば、液体が二軸シュレッダの内部空間からオイル回路に付勢され、オイルレベル又はオイル圧力の上昇を引き起こすという効果を有し得る。しかしながら、漏れは一般に、オイル回路からオイルの損失を引き起こし、それによってオイルレベル及びオイル圧力が低下する。それによって、対応する測定器を手動で監視することによって、ユーザが耐漏れ性を試験することができることが理解される。耐漏れ性はまた、オイルレベル又はオイル圧力がセンサによって監視され、例えば監視値が特定の閾値を下回った場合に不十分な潤滑を知らせる信号が出力されるという点において完全に又は部分的に自動化されて試験することができる。前記信号は、音響警告信号など、対応するユーザインタフェースにおいてユーザに出力することができる、又は、例えば二軸シュレッダのコントローラに直接係合して停止を開始することができる。
【００３３】
以下に、実施例を用いて、添付図面を参照しながら本発明をより詳細に説明する。
【図面の簡単な説明】
【００３４】
【図１】組立状態にある二軸シュレッダの斜視図である。
【図２】図１からハウジングが取り外された二軸シュレッダを示す図である。
【図３】図１及び図２から切断ディスクブロックが取り外されると共に軸受ハウジングが取り外された二軸シュレッダを示す図である。
【図４】シャフトスタブ及びアクスルスタブのそれぞれの詳細を備えた図２の二軸シュレッダの部分断面図である。
【図５】２つのそれぞれの詳細を備えた第２実施形態に係る二軸シュレッダの部分断面図を示す概略図である。
【図６Ａ】図５の詳細Ａの拡大図である。
【図６Ｂ】図５の詳細Ｂの拡大図である。
【発明を実施するための形態】
【００３５】
本実施形態の実施例に係る二軸シュレッダ１は、ギアボックスセグメント２と粉砕セグメント４とを有する。駆動モータ６とギアボックス８とは、ギアボックスセグメント２に設けられ、２つの第１及び第２切断ディスクブロック１０、１２は、ギアボックスセグメントによって駆動モータ６に連結される。ギアボックスは、互いに噛み合う異なる数の歯（図示せず）を有する２つのギアを備える。それによって、２つの切断ディスクブロック１０、１２の回転運動は、反対方向に且つ異なる回転速度において作り出される。第１切断ディスクブロック１０の対応する駆動シャフト（また図示せず）のみが駆動モータ６に連結され、第２切断ディスクブロック１２用の第２駆動シャフト（図示せず）は、ギアボックス８によってのみ駆動される。駆動モータ６とギアボックス８とは、独国実用新案第２０２０１００１０６６２号に記載されるように全体的に実施される。これに関しては、前記開示が完全に参照され、その開示内容が本明細書に組み込まれる。
【００３６】
２つの切断ディスクブロック１０、１２は、粉砕セグメント４のハウジング１４内に配置される。ハウジング１４は、それぞれプラントのパイプラインシステムなどに接続するための入口開口部１６及び出口開口部１８を有する。入口開口部１６及び出口開口部１８は、対向して実施されて幾何学的形状が同一である。しかしながら、前記入口及び出口は、例えばサイドレールとして知られるものにおいて、異なるものとすることができることを理解すべきである。ハウジング１４は、フランジ２０によってギアボックス８に連結される。ハウジング１４はまた、フランジ２０によってギアボックス８から取り外すことができる。
【００３７】
二軸シュレッダ１は、ハウジング１４が取り外された状態で図２に示されている。
【００３８】
第１及び第２切断ディスクブロック１０、１２は、フランジ２０に対してクランプされる。軸受ハウジングは、ギアボックス８から遠位端部に設けられ、以下により詳細に説明する。軸受ハウジング２４は、切断ディスクブロック１０、１２からユニットとして取り外すことができる。
【００３９】
図３は、軸受ハウジング２４の取り外し状態を示す。２つのアクスルスタブ２６、２８は、軸受ハウジング２４から突出する。アクスルスタブ２６、２８に対応する幾何学的形状を有する対応するシャフトスタブ３０、３２は、ギアボックス８から延出する。シャフトスタブ３０、３２が切断ディスクブロック１０、１２の第１軸方向凹部３４、３６内に突出する一方、アクスルスタブ２６、２８は、切断ディスクブロック１０、１２の第２軸方向凹部３８、４０に受容される。第１軸方向凹部３４、３６と第２軸方向凹部３８、４０とは、互いに対称に実施される、すなわち内部幾何学的形状が具体的に同一である又は大部分が同一である。完全な鏡面対称は不要であるが、むしろ凹部３４、３６、３８、４０は、切断ディスクブロック１０、１２の方向が長手方向軸Ａに対して１８０度回転され得るように実施される（図３参照）。
【００４０】
図４を参照して、特に図示される２つの詳細を参照して、二軸シュレッダ１における切断ディスクブロック１０、１２の取付について説明する。図４は、第１切断ディスクブロック１０のみを断面図で示し、第２切断ディスクブロック１２は平面図で示されている。しかしながら、第２切断ディスクブロック１２は、第１切断ディスクブロック１０と断面が同一であることを理解すべきである。全体的に見て、切断ディスクブロック１０、１２は、互いに同一に実施され、このことは、第１及び第２シャフトスタブ３０、３２並びに第１及び第２アクスルスタブ２６、２８にも適用する。
【００４１】
シャフトスタブ３０が軸方向に長さＬＷだけ延在し、２つの切断ディスクブロック１０、１２が長さＬＭに亘って延在することが図４において初めに見られる。軸方向長さＬＷは、軸方向長さＬＭの約１０％である。従って、図４から明らかなように、本発明に係る二軸シュレッダ１が異なる長さの切断ディスクブロック１０、１２を有するように作動させることができる。従って、１つの軸方向に適合したハウジング１４のみが提供され、ハウジング内に対応する切断ディスクブロック１０、１２が受容される。シャフトスタブ３０、３２、駆動装置６及びギアボックス８はそれによって変更されない。
【００４２】
シャフトスタブ３０は、自由端に円錐台形セグメント４２を有する。スリーブ４４は、凹部３４の内部に設けられ、内径に円錐台形セグメントを対応して有する。前記セグメントは、円錐台形セグメント４２に対応する。スリーブ４４は、伝達要素４６と接触し、伝達要素は次に、本実施例では複数のスプリングワッシャを有するスプリングパケット４８と接触する。スプリングパケット４８のスプリングワッシャは次に、切断ディスクブロック１０の環状肩部５０に支持される。実施形態に応じて、スプリングパケット４８は、ただ１つのスプリング、特に１つのスプリングワッシャのみを有することも可能である。
【００４３】
シャフトスタブ３０から切断ディスクブロック１０にトルクを伝達するためにキー５２が設けられる。代替案として、スプラインシャフト接続又は円錐接続における摩擦嵌合によるトルク伝達も考えられ、且つ、好ましい。
【００４４】
第２軸方向凹部３８は、切断ディスクブロック１０の反対側に作られる。シャフトスタブ２６の形をしたアクスルインサートは、前記軸方向凹部３８内に受容される。アクスルスタブ２６の外部幾何学的形状は、シャフトスタブ３０の外部幾何学的形状と全体的に同一であり、また円錐台形セグメント５４を有する。円錐台形内側セグメントを有するスリーブ５６、伝達要素５８、及びスプリングパケット６０は、凹部３８内に対応して設けられる。スプリングパケット６０は、第２環状肩部６２に対して支持される。
【００４５】
第１及び第２軸方向凹部３４、３８は、貫通穴６４によって互いに接続される。ねじ付きロッド６６は、貫通穴６４を通じて延在する。ねじ付きロッド６６の第１端部６８は、シャフトスタブ３０の対応するねじ穴７０内に受容される。そこから、ねじ付きロッド６６は、アクスルスタブ２６として実施されるアクスルインサートの貫通穴７２を通じて延在し、外側端部においてナット７４に連結される。ナット７４を締め付けることによって、アクスルスタブ２６は、ねじ付きロッド６６によってシャフトスタブ３０に対してクランプすることができる。それによって円錐セグメント５４、５６及び４２、４４は、凹部３８、３４内のアクスルスタブ２６及びシャフトスタブ３０のセルフセンタリングを確保する。スリーブ５６、４４の更なるプリテンションは、伝達要素４６、５８を介してスプリングパケット４８、６０によって付与され、それによって隙間なしにテンションを付与することが達成される。
【００４６】
アクスルスタブ２６の外側端部はさらに、軸受ハウジング２４内に対応して支持された転がり軸受７６内に受容される。ナット７４へのアクセスは、内部六角駆動部８２を有する差込継手８０を備えたカバー７８によって遮断され、それによってユーザは、カバー７８を取り外すことができる。カバー７８が取り外された後にナット７４を締め付ける又は緩めることができる。ナット７４が緩められると、シャフトスタブ３０に対するアクスルスタブ２６のクランプが緩和され、ナット７４が取り外されるときに、図３に示すように、２つのアクスルスタブ２６、２８を含む軸受ハウジング２４全体を取り外すことができる。
【００４７】
クランプがこの状態で緩和されるので、２つの切断ディスクブロック１０、１２は取り外され（図３参照）、第２の１対の切断ディスクブロック１０、１２と交換する、又は方向のみを変更することができる。特に軸Ａ１（図３参照）が垂直に位置調整された垂直配向二軸シュレッダ１では、重くて硬い物体は下方に落下する傾向があるので、地面近くの切断ディスクの摩耗が大きいことが実証されている。切断ディスクブロックの方向を変更することによって、潜在的に摩耗される下端部を負荷がより少ない下部領域に配置することができる。
【００４８】
特に図４にさらに見られるように、個々の切断ディスクは、内側ハブボディに一体的に接続される。各切断ディスクブロック１０、１２は、機械加工によって、特に旋削加工及びフライス加工を使用して、全体的に固体材料から作られる。それによって応力ピークが妨げられ、耐用年数がさらに延ばされる。
【００４９】
各切断ディスクブロック１０、１２は、複数の個別の切断ディスク１０１、１０２、１０３、１０４を有する（前記ブロック１０、１２の２つの切断ディスクのみが参照番号を有する）。切断ディスク１０１、１０２、１０３、１０４の数は、二軸シュレッダ１の全体サイズ及び実行されるべき粉砕作業に依存する。
【００５０】
複数、特に６つの切刃要素１０５（図１及び図４参照）がさらに、各切断ディスク１０１、１０２、１０３、１０４の周囲に実施され、周方向に均等に分配される。切刃要素は、各切断ディスクブロック１０、１２の周囲に沿って急勾配を有する６条ねじ（six-start thread）（より多く又はより少ない条数のねじも可能である）を有する螺旋曲線１０６を形成する。切断ディスクブロック１０の切刃要素はここでは、左ねじを形成し（右ねじも可能であり、且つ好ましい）、切断ディスクブロック１２の切刃要素も同じにする。それによって２つの切断ディスクブロック１０、１２は同一に実施される。
【００５１】
図５、図６Ａ及び図６Ｂは、二軸シュレッダ１の第２実施形態の実施例を示す。同一及び類似要素は、第１実施形態の実施例（図１から図４）と同じ参照番号を有し、それによって完全に参照される。第１実施形態の実施例との相違点が以下に特に強調される。
【００５２】
第１実施例（図１から図４）に加えて、第２実施例（図５からＢ）の二軸シュレッダ１は、第１及び第２切断ディスクブロック１０、１２を潤滑するオイル供給装置２００を有する。図５及び図６Ａに見られるように、第１及び第２切断ディスクブロック１０、１２は、第１及び第２シャフトスタブ３０、３２によってハウジング１４に支持される。このため、第１シャフトスタブ３０は、ここでは転がり軸受として、より具体的には第１球面転がり軸受２０２として実施される第１軸受に支持され、第２シャフトスタブ３２は、ここでは転がり軸受として、より具体的には第２球面転がり軸受２０４として実施される第２軸受に支持され、その一部のみが図６Ａに見ることができるが、第１球面転がり軸受２０２に対応して実施される。
【００５３】
第１アクスルインサート２６は、切断ディスクブロック１０、１２の軸方向反対側において軸受ハウジング２４に支持された転がり軸受７６に支持される（図６Ｂ参照）。転がり軸受７６は、軸力をより良く受けるために第１テーパ転がり軸受として実施される。第２アクスルインサート２８は、第２テーパ転がり軸受として実施されると共にまた軸受ハウジング２４に支持される対応する転がり軸受２０６に支持される。
【００５４】
前記軸受７６、２０６にオイルを供給するために、ハウジング１４にオイル接続部２０８が設けられる。本実施例では、オイル接続部２０８は、ホース２０９に接続され、ホースによってオイル接続部２０８に、好ましくは所定オイル圧力でオイルを供給することができる。軸受７６、２０６に加えて、それに関連する対応する面シール７７、２０７も好ましくはオイルが供給される。面シール７７、２０７のみにオイルが供給される実施形態も可能である。
【００５５】
オイル接続部２０８は、ハウジング１４内において密封オイルカップリング２１０に開口し、密封オイルカップリングは次に、第１シャフトスタブ３０を貫通する第１軸方向チャネル２１２に流体接続される。前記第１軸方向チャネル２１２は、第１径方向チャネル２１４に接続され、第１径方向チャネルは次に、第２軸方向チャネル２１６に流体接続される。第１径方向チャネル２１４は、キー５２によって径方向外側に実質的に遮断される。少量のオイルが漏れて、次にキー領域内又はキーの下に集まることが起こり得るが、これは、動作をさらに抑制しない。それによって製造は容易になる。第１径方向チャネル２１４は、キー５２用溝部領域において第１シャフトスタブ３０に径方向に穴をあけることができ、更なる遮断は不要である。
【００５６】
第２軸方向チャネル２１６は次に、端面において第１シャフトスタブ３０から出る（図６Ａの左側を参照）。斜めチャネル２１８は、スプリングパケット４８を受ける伝達要素４６に切り込まれ、第１切断ディスクブロック１０の第１軸方向穴６４に開口する。このようにして、第１軸方向穴６４は、オイル接続部２０８に接続される。第１軸方向チャネル２１２、第１径方向チャネル２１４、第２軸方向チャネル２１６、斜めチャネル２１８、及び穴６４は共に、穴６４を貫通する第１オイルチャネル２１９のセグメントを形成する。
【００５７】
その結果、オイルは、オイル接続部２０８から第１切断ディスクブロック１０の第１軸方向穴６４に流れる。穴６４の内径は、ねじ付きロッド６６の外径より対応して大きくなるように選択されるので、流れはまた妨げられない。
【００５８】
貫通穴７２は、第１実施例（図４）から離れて、第１切断ディスクブロック１０（図６Ｂ）の反対側の端部において第１アクスルインサート２６に実施される。第１セグメント２２０では、貫通穴７２は、特に第１ねじ付きロッド６６の外径より大きい、拡大された内径を有する。対応するねじ山２２４は、第１切断ディスクブロックに対して遠位にある第２セグメント２２２にのみ形成され、第１ねじ付きロッド６６と係合する。第２径方向チャネル２２６は、第１アクスルインサート２６に作られて第１軸受空間２２８に径方向に開口し、それによって軸受７６及び好ましくは面シール７７にオイルを供給することができる。貫通穴７２及び第２径方向チャネル２２６はまた、第１オイルチャネル２１９のセグメントを形成する。
【００５９】
第１実施例（図１から図４）にあるような簡単なカバー７８に代えて、本実施例（図５から図６Ｂ）では、第２オイルチャネル２３２を有する接続ユニット２３０が設けられる。前記第２オイルチャネル２３２は、第１軸受空間２２８を第２切断ディスクブロック１２、より正確には転がり軸受２０６に関連する第２軸受空間２３４と接続する。このようにして、第２オイルチャネル２３２は、オイルを第２切断ディスクブロック１２に供給する。
【００６０】
耐漏れ性は、所定圧力がオイル接続部２０８に適用されて前記圧力又はオイルレベルが監視されることで試験することができる。オイルレベル又は前記圧力の変化が検出される場合、オイル供給装置２００内に、すなわち二軸シュレッダの周囲領域又は内部空間に対してオイル回路をシールするシール内に遮断されるべき漏れが存在する。
【００６１】
前記オイル供給装置２００はそのとき、アクスルインサート２６、２８が設けられる二軸シュレッダ１の端部がドレインなどに設置され、それによって軸受７６、２０６が潤滑するために容易にアクセスできない場合に特に有利である。本考察は、穴６４を特に利用し、第１オイルチャネル２１９のセグメントと同じものを使用する。それによって特に有利な設計が実現される。
【図１】
2019535506.tif 000003
【図２】
2019535506.tif 000004
【図３】
2019535506.tif 000005
【図４】
2019535506.tif 000006
【図５】
2019535506.tif 000007
【図６Ａ】
2019535506.tif 000008
【図６Ｂ】
2019535506.tif 000009
【国際調査報告】
2019535506.tif 000010
2019535506.tif 000011
2019535506.tif 000012
2019535506.tif 000013